(57)【要約】【課題】コンテンツ情報を適正なサイズの画像で表示することができるようにする。【解決手段】表示部３５に形成される情報表示画面に表示するための表示情報を作成する表示情報設定処理手段と、前記表示部３５の仕様を表す表示部仕様を取得する表示部仕様取得処理手段と、前記表示情報に基づいて前記表示部仕様に対応するフォーマットを作成するフォーマット作成処理手段と、前記フォーマットに従って前記情報表示画面に表示情報を表示する表示処理手段とを有する。表示情報に基づいて表示部仕様に対応するフォーマットが作成され、該フォーマットに従って情報表示画面に表示情報が表示されるので、任意の表示部仕様の表示部３５を使用しても、情報表示画面に表示情報を適正なサイズの画像で表示することができる。【選択図】          図１
2004309183.tif 000002
【特許請求の範囲】
【請求項１】
表示部に形成される情報表示画面に表示するための表示情報を作成する表示情報設定処理手段と、前記表示部の仕様を表す表示部仕様を取得する表示部仕様取得処理手段と、前記表示情報に基づいて前記表示部仕様に対応するフォーマットを作成するフォーマット作成処理手段と、前記フォーマットに従って前記情報表示画面に表示情報を表示する表示処理手段とを有することを特徴とするナビゲーションシステム。
【請求項２】
前記表示部仕様は、表示部の表示サイズである請求項１に記載のナビゲーションシステム。
【請求項３】
ナビゲーション装置の型名及び前記表示部仕様が互いに対応させて記録される情報記録部を有するとともに、前記表示部仕様取得処理手段は、前記情報記録部を参照し、前記ナビゲーション装置を特定するための特定情報に対応させて表示部仕様を読み出す請求項１に記載のナビゲーションシステム。
【請求項４】
前記フォーマット作成処理手段は、前記表示部仕様に対応させて前記情報表示画面に表示される画像要素の位置を調整する請求項１に記載のナビゲーションシステム。
【請求項５】
表示部に形成される情報表示画面に表示するために作成された表示情報を取得する表示情報取得処理手段と、前記表示部における表示部仕様を取得する表示部仕様取得処理手段と、前記表示情報に基づいて前記表示部仕様に対応するフォーマットを作成するフォーマット作成処理手段と、前記フォーマットをナビゲーション装置に送信する送信処理手段とを有することを特徴とするナビゲーションシステム。
【請求項６】
コンピュータを、表示部に形成される情報表示画面に表示するための表示情報を作成する表示情報設定処理手段、前記表示部の仕様を表す表示部仕様を取得する表示部仕様取得処理手段、前記表示情報に基づいて前記表示部仕様に対応するフォーマットを作成するフォーマット作成処理手段、及び前記フォーマットに従って前記情報表示画面に表示情報を表示する表示処理手段として機能させることを特徴とする画像表示方法のプログラム。
【発明の詳細な説明】
【０００１】
【発明の属する技術分野】
本発明は、ナビゲーションシステム及び画像表示方法のプログラムに関するものである。
【０００２】
【従来の技術】
従来、ナビゲーション装置においては、例えば、ＧＰＳ（グローバルポジショニングシステム）によって車両の現在の位置、すなわち、現在地が検出されるとともに、ジャイロセンサによって検出された車両の回転角速度、すなわち、旋回角に基づいて、車両の方位、すなわち、自車方位が検出され、データ記録部から地図データが読み出され、表示部に地図画面が形成され、該地図画面に、現在地、現在地の周辺の地図及び自車方位が表示されるようになっている。したがって、操作者である運転者は、前記地図画面に表示された現在地、現在地の周辺の地図及び自車方位に従って車両を走行させることができる。
【０００３】
また、運転者が目的地を入力し、探索条件を設定すると、該探索条件に基づいて現在地で表される出発地から目的地までの経路が探索される。そして、探索された経路、すなわち、探索経路は前記表示部に形成された探索経路表示画面に現在地及び目的地と共に表示される。したがって、運転者は表示された探索経路に従って車両を走行させることができる。なお、運転者が現在地と異なる出発地を入力した場合、入力された出発地から目的地までの経路が探索される。
【０００４】
ところで、ナビゲーション装置は、インターネットを介して所定のコンテンツプロバイダのホームページにアクセスし、例えば、天気予報、スポーツニュース、芸能ニュース等の所定の情報、すなわち、コンテンツ情報を受信する。そして、ナビゲーション装置において、表示部に情報表示画面が形成され、該情報表示画面にコンテンツ情報が表示される（例えば、特許文献１参照。）。
【０００５】
【特許文献１】
特開２００２−９１９８７号公報
【０００６】
【発明が解決しようとする課題】
しかしながら、前記従来のナビゲーション装置において、表示部に使用されるディスプレイとして、例えば、横６４０×縦４８０〔ドット〕、横８００×縦６４０〔ドット〕等の各種のサイズのものが提供されているが、前記コンテンツ情報を表示部に表示しようとすると、通常は、コンテンツ情報の画像のサイズがディスプレイのサイズ（ディスプレイサイズ）より大きいので、前記情報表示画面の右端又は下端において画像が欠けてしまう。
【０００７】
その場合、前記情報表示画面をスクロールして欠けた画像を表示させることができるが、その分作業が煩わしくなり、ナビゲーション装置の操作性が低くなってしまう。
【０００８】
そこで、ディスプレイのサイズに対応させて画像を縮小することが考えられるが、その場合、前記情報表示画面上において画像を貼（は）り付ける位置の設定によっては、情報表示画面の右端に大きな余白が形成され、画像が見づらくなってしまう。
【０００９】
このように、情報表示画面にコンテンツ情報を適正なサイズの画像で表示することができない。
【００１０】
本発明は、前記従来のナビゲーション装置の問題点を解決して、コンテンツ情報を適正なサイズの画像で表示することができるナビゲーションシステム及び画像表示方法のプログラムを提供することを目的とする。
【００１１】
【課題を解決するための手段】
そのために、本発明のナビゲーションシステムにおいては、表示部に形成される情報表示画面に表示するための表示情報を作成する表示情報設定処理手段と、前記表示部の仕様を表す表示部仕様を取得する表示部仕様取得処理手段と、前記表示情報に基づいて前記表示部仕様に対応するフォーマットを作成するフォーマット作成処理手段と、前記フォーマットに従って前記情報表示画面に表示情報を表示する表示処理手段とを有する。
【００１２】
本発明の他のナビゲーションシステムにおいては、さらに、前記表示部仕様は、表示部の表示サイズである。
【００１３】
本発明の更に他のナビゲーションシステムにおいては、さらに、ナビゲーション装置の型名及び前記表示部仕様が互いに対応させて記録される情報記録部を有する。
【００１４】
そして、前記表示部仕様取得処理手段は、前記情報記録部を参照し、前記ナビゲーション装置を特定するための特定情報に対応させて表示部仕様を読み出す。
【００１５】
本発明の更に他のナビゲーションシステムにおいては、さらに、前記フォーマット作成処理手段は、前記表示部仕様に対応させて前記情報表示画面に表示される画像要素の位置を調整する。
【００１６】
本発明の更に他のナビゲーションシステムにおいては、表示部に形成される情報表示画面に表示するために作成された表示情報を取得する表示情報取得処理手段と、前記表示部における表示部仕様を取得する表示部仕様取得処理手段と、前記表示情報に基づいて前記表示部仕様に対応するフォーマットを作成するフォーマット作成処理手段と、前記フォーマットをナビゲーション装置に送信する送信処理手段とを有する。
【００１７】
本発明の画像表示方法のプログラムにおいては、コンピュータを、表示部に形成される情報表示画面に表示するための表示情報を作成する表示情報設定処理手段、前記表示部の仕様を表す表示部仕様を取得する表示部仕様取得処理手段、前記表示情報に基づいて前記表示部仕様に対応するフォーマットを作成するフォーマット作成処理手段、及び前記フォーマットに従って前記情報表示画面に表示情報を表示する表示処理手段として機能させる。
【００１８】
【発明の実施の形態】
以下、本発明の実施の形態について図面を参照しながら詳細に説明する。
【００１９】
図１は本発明の実施の形態におけるナビゲーションシステムを示す図である。
【００２０】
図において、１４は情報端末、例えば、車両に搭載された車載装置としてのナビゲーション装置であり、該ナビゲーション装置１４は、現在地等を検出する現在地検出部としてのＧＰＳセンサ１５、地図データ、道路データ、探索データ等のナビゲーション装置１４の基本的な情報、すなわち、ナビ情報のほかに各種の情報が記録された情報記録部としてのデータ記録部１６、各種のプログラム、データ等に基づいてコンピュータとして機能し、入力された情報に基づいて、ナビゲーション処理等の各種の演算処理を行うナビゲーション処理部１７、自車方位を検出する方位検出部としての方位センサ１８、操作者である運転者が操作することによって所定の入力を行うための第１の入力部としての操作部３４、図示されない画面に表示された画像によって各種の表示を行い、運転者に通知するための第１の出力部としての表示部３５、音声によって所定の入力を行うための第２の入力部としての音声入力部３６、音声によって各種の表示を行い、運転者に通知するための第２の出力部としての音声出力部３７、通信端末として機能する送受信部としての通信部３８を備え、前記ナビゲーション処理部１７に、操作部３４、表示部３５、音声入力部３６、音声出力部３７及び通信部３８が接続される。また、前記ナビゲーション処理部１７には、車速検出部としての車速センサ４１も接続される。
【００２１】
前記ＧＰＳセンサ１５は、人工衛星によって発生させられた電波を受信することによって地球上における現在地を検出し、併せて時刻を検出する。
【００２２】
なお、現在地検出部として、前記ＧＰＳセンサ１５に代えて距離センサ、ステアリングセンサ、高度計等を単独で、又は組み合わせて使用することができる。前記距離センサは、道路上の所定の地点間の距離を検出するものであり、図示されない車輪の回転速度に基づいて、又は加速度を２回積分して距離を算出する。また、前記ステアリングセンサは、舵（だ）角を検出するものであり、例えば、図示されないステアリングホイールの回転部に取り付けられた光学的な回転センサ、回転抵抗センサ、車輪に取り付けられた角度センサ等を使用することができる。
【００２３】
また、前記方位センサ１８としてジャイロセンサ、地磁気センサ等を使用することができる。前記ジャイロセンサとしては、例えば、ガスレートジャイロ、振動ジャイロ等が使用され、旋回角を積分することによって自車方位を検出する。そして、前記地磁気センサは、地磁気を測定することによって自車方位を検出する。
【００２４】
前記データ記録部１６は、地図データファイル、交差点データファイル、ノードデータファイル、道路データファイル、探索データファイル、施設情報データファイル等のデータファイルから成るデータベースを備え、前記各データファイルには、表示部３５に各種の画像を出力するためのデータが記録される。なお、前記データ記録部１６には、所定の情報を音声出力部３７によって出力するためのデータも記録される。
【００２５】
例えば、前記地図データファイルには地図を表示するための地図データが、交差点データファイルには各交差点に関する交差点データが、ノードデータファイルにはノード点に関するノードデータが、道路データファイルには道路に関する道路データが、探索データファイルには経路を探索するための探索データが、施設情報データファイルには各種の施設に関する施設情報データがそれぞれ記録され、前記交差点データ、ノードデータ、道路データ、探索データ等によって道路状況を表す道路状況データが構成される。
【００２６】
前記交差点データには、交差点の名称、交差点における道路の形状、交差点に隣接する主要な施設、交差点の先の主要な地名等を表すデータが含まれる。また、前記ノードデータには、実際の道路の分岐点（交差点、Ｔ字路等も含む）、ノード点、各ノード点間を連結するノード点間リンク等を表すデータが含まれる。
【００２７】
そして、前記道路データには、道路自体について、幅員、勾（こう）配、カント、バンク、路面の状態、道路の車線数、車線数の減少する箇所、幅員の狭くなる箇所等を、コーナについて、曲率半径、交差点、Ｔ字路、コーナの入口等を、道路属性について、降坂路、登坂路等が、道路種別について、国道、県道、細街路等の一般道のほか、高速道路、都市高速道路、有料道路等の高速・有料道を表すデータが含まれる。さらに、道路データには、踏切、高速道路の入口及び出口の取付道（ランプウェイ）、高速・有料道の料金所等を表すデータが含まれる。また、前記施設情報データには、各地域のホテル、ガソリンスタンド、駐車場、観光地、デパート等の施設の名称のほかに、住所、電話番号、施設案内等の施設情報を表すデータが含まれる。
【００２８】
前記ナビゲーション処理部１７は、ナビゲーション装置１４の全体の制御を行う演算装置及び制御装置としてのＣＰＵ３１、該ＣＰＵ３１が各種の演算処理を行うに当たってワーキングメモリとして使用される第１の記録媒体としての、ＤＲＡＭ、ＳＲＡＭ、ＭＲＡＭ、ＦｅＲＡＭ等のＲＡＭ３２、制御用のプログラムのほか、経路の探索、経路案内等を行うための各種のプログラムが記録された第２の記録媒体としてのＲＯＭ３３、各種のデータ、プログラム等を記録するために使用される第３の記録媒体としての図示されないフラッシュメモリを備える。なお、前記ＲＡＭ３２、ＲＯＭ３３、フラッシュメモリ等の内部記憶装置として半導体メモリ、磁気コア等が使用される。そして、演算装置及び制御装置としてＣＰＵ３１に代えてＭＰＵ等を使用することもできる。
【００２９】
また、前記データ記録部１６は、前記各種のデータを記録するために、外部記憶装置として配設された第４の記録媒体としてのハードディスク、フレキシブルディスク等の図示されない磁気ディスクを備えるほかに、各種のデータを読み出したり、書き込んだりするための読出・書込ヘッド等の図示されないヘッドを備える。前記データ記録部１６には、同様に外部記憶装置として、第５の記録媒体としての磁気テープ、磁気ドラム、ＣＤ、ＭＤ、ＤＶＤ、光ディスク、ＭＯ、ＩＣカード、光カード等を配設することもできる。
【００３０】
ところで、前記ＲＯＭ３３に各種のプログラムを記録し、前記データ記録部１６に各種のデータを記録することができるが、プログラム、データ等を前記ハードディスク等に記録することもできる。この場合、ハードディスク等から前記プログラム、データ等を読み出して前記フラッシュメモリに書き込むことができる。したがって、ハードディスク等を交換することによって前記プログラム、データ等を更新することができる。また、車両に搭載された図示されない自動変速機の制御を行うために自動変速機制御装置が搭載されている場合には、該自動変速機制御装置の制御用のプログラム、データ等も前記ハードディスク等に記録することができる。さらに、通信部３８を介して前記プログラム、データ等を受信し、フラッシュメモリに書き込むこともできる。
【００３１】
前記操作部３４は、運転者が操作することによって、走行開始時の現在地を修正したり、出発地及び目的地を入力したり、通過点を入力したり、通信部３８を動作させたりするためのものであり、表示部３５とは独立に配設されたキーボード、マウス、バーコードリーダ、ライトペン、遠隔操作用のリモートコントロール装置、ジョイスティック等を使用することができる。また、前記操作部３４として、前記表示部３５に形成された画面に画像で表示された各種のキー、スイッチ、ボタン等の画像操作部をタッチ又はクリックすることによって、所定の入力操作を行うことができる。
【００３２】
前記表示部３５としては、ＣＲＴディスプレイ、液晶ディスプレイ、プラズマディスプレイ等のディスプレイを使用したり、車両のフロントガラスにホログラムを投影するホログラム装置等を使用したりすることができる。そして、表示部３５に形成された各種の画面に、現在地、地図、探索経路、該探索経路に沿った案内情報、交通情報等を表示したり、交差点又は探索経路における特徴的な写真、コマ図等、次の交差点までの距離、次の交差点における進行方向を表示したりすることができるだけでなく、前記画像操作部、操作部３４、音声入力部３６等の操作案内、操作メニュー、キーの案内を表示したり、ＦＭ多重放送の番組等を表示したりすることができる。
【００３３】
また、音声入力部３６は、図示されないマイクロホン等によって構成され、音声によって必要な情報を入力することができる。さらに、音声出力部３７は、図示されない音声合成装置及びスピーカを備え、音声出力部３７から、前記探索経路、案内情報、交通情報等が、例えば、音声合成装置によって合成された音声で出力される。なお、音声合成装置によって合成された音声のほかに、各種の音、あらかじめテープ、メモリ等に録音された各種の案内情報等を出力することもできる。
【００３４】
前記通信部３８は、ＶＩＣＳ（登録商標：：Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）センタ等の第１の情報提供者としての図示されない道路交通情報センタから送信された各種の情報を、道路に沿って配設された電波ビーコン装置、光ビーコン装置等を介して電波ビーコン、光ビーコン等として受信するためのビーコンレシーバ、ＦＭ放送局を介してＦＭ多重放送として受信するためのＦＭ受信機等を備える。そして、前記ビーコンレシーバによって、渋滞情報、規制情報、駐車場情報、交通事故情報、サービスエリアの混雑状況情報等の交通情報を受信したり、前記ＦＭ受信機によって前記交通情報のほかに、ニュース、天気予報等の一般情報をＦＭ多重情報として受信したりすることができる。なお、前記ビーコンレシーバ及びＦＭ受信機は、ユニット化されてＶＩＣＳレシーバとして配設されるようになっているが、別々に配設することもできる。
【００３５】
また、通信部３８は、所定の基地局から送信されたＧＰＳセンサ１５の検出誤差を検出するためのＤ−ＧＰＳ情報等の各種のデータを受信することもできる。さらに、前記通信部３８は、電波ビーコン、光ビーコン等によって位置情報を受信し、現在地を検出することもでき、その場合、前記ビーコンレシーバは、現在地検出部として機能する。
【００３６】
さらに、通信部３８は、第２の情報提供者としての情報センタ５１から交通情報、一般情報等の各種の情報を受信することもできる。そのために、前記通信部３８と情報センタ５１とは通信手段としての所定の第１のネットワークとしてのＬＡＮ（Ｌｏｃａｌ  Ａｒｅａ  Ｎｅｔｗｏｒｋ）４３を介して接続される。
【００３７】
また、ナビゲーション装置１４は、前記情報センタ５１を情報基地として、所定の第２のネットワークとしてのインターネット６１を介して複数のコンテンツプロバイダ６２、６３のうちの所定の、例えば、コンテンツプロバイダ６２のホームページにアクセスし、各種のコンテンツ情報を取得することができるようになっている。そのために、各コンテンツプロバイダ６２、６３は、サーバ６５、データベース（ＤＢ）６６等を備える。前記ナビゲーション装置１４、情報センタ５１、ＬＡＮ４３、インターネット６１、コンテンツプロバイダ６２、６３等によってナビゲーションシステムが構成される。
【００３８】
本実施の形態においては、前記通信部３８を通信端末として機能させるために、通信部３８に携帯電話等の通信機器がモジュールとして内蔵されるようになっているが、通信部３８とは別に通信機器を接続し、該通信機器と通信部３８とを接続することもできる。その場合、通信機器として、携帯電話、自動車電話、ＰＨＳ等の移動電話を使用したり、無線ＬＡＮカード等を使用したり、パソコン、携帯用コンピュータ、携帯情報端末（ＰＤＡ）、電子手帳、テレビ電話、ゲーム機等に通信機能を持たせたものを使用したりすることができる。
【００３９】
また、前記第１のネットワークとしては、前記ＬＡＮ４３のほかに、ＷＡＮ（Ｗｉｄｅ  Ａｒｅａ  Ｎｅｔｗｏｒｋ）、イントラネット、携帯電話回線網、電話回線網、公衆通信回線網、専用通信回線網、インターネット等の通信回線網等の通信手段を使用することができる。そして、放送衛星によるＣＳ放送、ＢＳ放送、地上波ディジタルテレビ放送、ＦＭ多重放送等を利用する通信手段を使用することもできる。さらに、高度道路交通システム（ＩＴＳ）において利用されるノンストップ自動料金支払いシステム（ＥＴＣ）、境域通信システム（ＤＳＲＣ）等の通信手段を使用することもできる。同様に、前記第２のネットワークとして、前記インターネット６１のほかに前記各種の通信手段を使用することができる。
【００４０】
なお、前記情報センタ５１は、個人、企業、団体、地方自治体、政府関係機関等のいずれが運営していてもよく、前記道路交通情報センタが運営していてもよい。
【００４１】
前記情報センタ５１は、サーバ５３、該サーバ５３に接続された情報記録部としてのデータベース（ＤＢ）５７、通信部５８等を備え、該通信部５８によって、情報センタ５１とナビゲーション装置１４との間、及び情報センタ５１と各コンテンツプロバイダ６２、６３との間で双方向の通信が行われ、交通情報、一般情報、コンテンツ情報等の提供が行われる。
【００４２】
そのために、前記サーバ５３は、演算装置及び制御装置としてのＣＰＵ５４、ＲＡＭ５５、ＲＯＭ５６等を備え、所定のプログラム、データ等に基づいてコンピュータとして機能する。また、前記データベース５７に、前記データ記録部１６に記録された各種のデータ（ナビ情報も含まれる。）と同様のデータを記録することができる。
【００４３】
そして、前記ＣＰＵ５４は、前記道路交通情報センタ等から送信された交通情報、一般情報等を受信し、一次情報としてデータベース５７に記録したり、前記一次情報を加工して統計処理を施し、渋滞状況の履歴を表す履歴情報、渋滞状況を予測する渋滞予測情報等を構成する統計データを作成し、該統計データを二次情報としてデータベース５７に記録したりする。本実施の形態においては、前記統計データを作成するに当たり、履歴情報に、日時、曜日、天候、各種イベント、季節、施設情報（デパート、スーパーマーケット等の大型の施設の有無）等の詳細な条件が加えられる。
【００４４】
また、前記各コンテンツプロバイダ６２、６３において、各サーバ６５は、演算装置及び制御装置としてのＣＰＵ７１、ＲＡＭ７２、ＲＯＭ７３等を備え、所定のプログラム、データ等に基づいてコンピュータとして機能する。また、前記各データベース６６に各種のコンテンツ情報が記録される。
【００４５】
なお、前記サーバ５３、６５及びナビゲーション処理部１７によってコンピュータを構成することもできる。また、ＣＰＵ５４、７１に代えてＭＰＵ等を使用することができる。
【００４６】
次に、前記構成のナビゲーションシステムの基本的な動作について説明する。
【００４７】
まず、運転者によって操作部３４が操作され、ナビゲーション装置１４が起動されると、ＣＰＵ３１の図示されないナビ初期化処理手段は、ナビ初期化処理を行い、ＧＰＳセンサ１５によって検出された現在地、及び方位センサ１８によって検出された自車方位を読み込むとともに、各種のデータを初期化する。なお、前記ＣＰＵ３１の図示されないマッチング処理手段は、マッチング処理を行い、読み込まれた現在地の軌跡、及び周辺の道路を構成する各道路リンクの形状、配列等に基づいて、現在地がいずれの道路リンク上に位置するかの判定を行うことによって、現在地を特定する。
【００４８】
続いて、ＣＰＵ３１の第１の情報取得処理手段としてのナビ情報取得処理手段は、第１の情報取得処理としてのナビ情報取得処理を行い、前記ナビ情報を、データ記録部１６から読み出して取得するか、又は通信部３８を介して情報センタ５１から受信して取得する。なお、情報センタ５１から取得する場合、前記ナビ情報取得処理手段は、受信したナビ情報をフラッシュメモリ、ハードディスク等にダウンロードする。また、ナビ情報を通信部３８を介して取得する際にプログラムを併せて取得することもできる。
【００４９】
そして、前記ＣＰＵ３１の図示されない表示処理手段は、表示処理を行い、前記表示部３５に地図画面を形成し、該地図画面に、現在地、現在地の周辺の地図及び自車方位を表示する。したがって、運転者は、表示された現在地、現在地の周辺の地図及び自車方位に従って車両を走行させることができる。
【００５０】
また、前記ナビゲーション装置１４又はナビゲーションシステムを、出発地から目的地までの経路を探索するために使用することができる。この場合、運転者が操作部３４を操作して目的地を入力すると、ＣＰＵ３１の図示されない目的地設定処理手段は、目的地設定処理を行い、目的地を設定する。なお、必要に応じて出発地を入力し、設定することもできる。そして、目的地が設定されると、ＣＰＵ３１又はＣＰＵ５４の図示されない経路探索処理手段は、経路探索処理を行い、現在地、目的地等を読み込むとともに、データ記録部１６又はデータベース５７から探索データ等を読み出し、前記現在地、目的地及び探索データに基づいて、現在地で表される出発地から目的地までの経路を探索する。
【００５１】
また、前記ＣＰＵ３１の図示されない案内処理手段は、案内処理を行い、運転者に探索経路を案内する。そのために、前記案内処理手段は、前記表示処理手段に案内指令を送り、表示処理手段は、案内指令に従って前記探索経路を表す経路データを読み込み、経路データに従って前記地図画面に探索経路を表示する。
【００５２】
そして、情報センタ５１において経路探索処理が行われた場合、ＣＰＵ５４の図示されない送信処理手段は、送信処理を行い、探索経路を表す経路データをナビゲーション装置１４に送信し、ＣＰＵ３１の第２の情報取得処理手段としての図示されない経路情報取得処理手段は、第２の情報取得処理としての経路情報取得処理を行い、前記経路データを受信して取得する。続いて、前記案内処理手段は、前記表示処理手段に案内指令を送り、表示処理手段は、前記案内指令に従って前記経路データを読み込み、経路データに従って前記地図画面に探索経路を表示する。
【００５３】
また、ＣＰＵ３１の図示されない音声出力処理手段は音声出力処理を行い、前記案内処理手段によって送られた前記案内指令に従って、音声出力部３７から探索経路を音声で出力する。
【００５４】
このようにして、探索経路が案内され、運転者は、案内された探索経路に従って車両を走行させることができる。
【００５５】
なお、前記ナビゲーション装置１４は、前記通信部３８を介して交通情報、一般情報等を受信することができるようになっている。そのために、ＣＰＵ３１の第３の情報取得処理手段としての図示されない付加情報取得処理手段は、第３の情報取得処理としての付加情報取得処理を行い、前記交通情報、一般情報等を付加情報として受信して取得する。続いて、前記表示処理手段は、前記地図画面に交通情報、一般情報等を表示する。
【００５６】
前記交通情報は、情報の種別を表す情報種別データ、メッシュとしての２次メッシュを特定するための２次メッシュＸ、Ｙデータ、二つの地点（例えば、交差点）間を連結する道路リンクを特定し、かつ、上り／下りの別を表すリンク番号データ、該リンク番号データに対応させて提供される情報の内容を表すリンク情報を含み、該リンク情報は、例えば、前記道路リンクの始点から渋滞の先頭までの距離を表す渋滞先頭データ、渋滞の度合いを表す渋滞度合データ、渋滞区間を前記渋滞の先頭から渋滞の末尾までの渋滞長（距離）によって表す渋滞長データ等から成る。
【００５７】
したがって、前記表示処理手段は、交通情報のうちの前記各リンク情報を、例えば、渋滞が発生している道路の上り／下りの別及び渋滞区間を表す交通状況指標としての渋滞矢印に変換し、該渋滞矢印を前記地図画面上の道路に沿って表示する。この場合、渋滞の度合いに応じて前記道路、渋滞矢印等の色が、赤、橙（だいだい）等に変更される。このようにして、運転者は、車両を走行させる予定の道路、探索経路等における渋滞状況を知ることができる。
【００５８】
ところで、前記ナビゲーション装置１４においては、前記情報センタ５１を情報基地として、インターネット６１を介して所定のコンテンツプロバイダ、本実施の形態においては、コンテンツプロバイダ６２のホームページにアクセスし、各種のコンテンツ情報を情報センタ５１を介して取得することができるようになっている。
【００５９】
そのために、運転者が操作部３４を操作してコンテンツ情報の取得要求を情報センタ５１に送信すると、後述されるように、コンテンツプロバイダ６２から情報センタ５１を介してナビゲーション装置１４にコンテンツ情報が送信される。そして、ＣＰＵ３１の第４の情報取得処理手段としての図示されない一般情報取得処理手段は、第４の情報取得処理としての一般情報取得処理を行い、前記コンテンツ情報を取得する。続いて、前記表示処理手段は、表示部３５に情報表示画面を形成し、該情報表示画面にコンテンツ情報を表示する。
【００６０】
図２は本発明の実施の形態における表示部に形成される情報表示画面の第１の例を示す図である。
【００６１】
図において、領域ＡＲ１は、情報表示画面における上方に設定され、該領域ＡＲ１にコンテンツ情報のタイトル、本実施の形態においては、「天気予報」の文字が表示される。また、領域ＡＲ１１〜ＡＲ２０には、地域を表す「札幌」、「仙台」、「新潟」、「東京」、「金沢」、「名古屋」、「大阪」、「広島」、「福岡」及び「那覇」の各文字が表示される。そして、領域ＡＲ２１〜ＡＲ３０には、前記各地域の天気を表すアイコンが表示される。なお、前記各文字、アイコン等によって情報表示画面に表示される画像要素が構成される。
【００６２】
続いて、前記コンテンツ情報をナビゲーション装置１４に供給するためのコンテンツプロバイダ６２の動作について説明する。
【００６３】
図３は本発明の実施の形態におけるコンテンツプロバイダの画面データ設定処理の動作を示すフローチャート、図４は本発明の実施の形態におけるコンテンツプロバイダの入力項目設定画面を示す図である。
【００６４】
まず、コンテンツプロバイダ６２（図１）において、操作者が図示されない操作部を操作して画面作成ウェブにアクセスすると、ＣＰＵ７１の図示されない表示処理手段は、表示処理を行い、図示されない表示部に入力項目設定画面を形成する。該入力項目設定画面には、コンテンツ情報の項目を指定するための項目指定領域ＡＲ３１が形成され、操作者がサーバ６５の前記操作部を操作することによって、前記項目指定領域ＡＲ３１の所定の項目をクリックすると、クリックされた項目が選択される。本実施の形態においては、天気予報、スポーツニュース及び芸能ニュースのうちの天気予報が選択されていて、入力領域ＡＲ３３に、「札幌」、「仙台」、「新潟」、「東京」、「金沢」、「名古屋」、「大阪」、「広島」、「福岡」及び「那覇」の各地域の名称が表示される。そこで、操作者は、各地域の天気を晴れ、雨、曇り等のように入力する。
【００６５】
また、前記入力項目設定画面には、コンテンツ情報を情報表示画面に表示するのに加えて、音声で出力をするかどうかを選択するための音声出力選択領域ＡＲ３２が形成され、操作者が前記音声出力選択領域ＡＲ３２をクリックすると、音声で出力をする旨が選択される。
【００６６】
このようにして、各入力項目が設定され、操作者が入力キーｋ１をクリックすると、前記ＣＰＵ７１の図示されない表示情報設定処理手段としての画面データ設定処理手段は、表示情報設定処理としての画面データ設定処理を行い、前記各入力項目について入力された情報に基づいて、前記情報表示画面にコンテンツ情報を画像で表示するために必要となる表示情報として、画面データを作成し、設定する。
【００６７】
次に、図のフローチャートについて説明する。
ステップＳ１  画面作成ウェブにアクセスする。
ステップＳ２  入力項目を設定する。
ステップＳ３  画面データを作成する。
ステップＳ４  画面データを設定し、処理を終了する。
【００６８】
次に、前記画面データに基づいてフォーマットデータを作成するための情報センタ５１の動作について説明する。
【００６９】
図５は本発明の実施の形態における情報センタのフォーマットデータ作成処理の動作を示すフローチャート、図６は本発明の実施の形態におけるディスプレイ情報取得処理のサブルーチンを示す図、図７は本発明の実施の形態における画面フォーマットデータの第１の例を示す図、図８は本発明の実施の形態におけるＴＳＳフォーマットデータの例を示す図である。
【００７０】
この場合、ＣＰＵ５４（図１）の図示されないフォーマット作成処理手段は、フォーマット作成処理を行い、前記コンテンツプロバイダ６２から画面データを取得し、該画面データに基づいて、前記表示部３５として使用されるディスプレイのサイズに対応するフォーマットを作成する。
【００７１】
そのために、前記フォーマット作成処理手段の表示情報取得処理手段としての画面データ取得処理手段は、表示情報取得処理としての画面データ取得処理を行い、コンテンツプロバイダ６２から画面データを取得する。続いて、前記フォーマット作成処理手段の表示部仕様取得処理手段としてのディスプレイ情報取得処理手段は、表示部仕様取得処理としてのディスプレイ情報取得処理を行い、後述されるように、前記表示部３５の仕様を表す表示部仕様としてのディスプレイのサイズをデータベース５７から読み出すことによって取得する。そのために、該データベース５７には、各種の型式の表示部３５として使用されるディスプレイに対応させて、ナビゲーション装置１４の型名及びディスプレイのサイズが互いに対応させて記録される。なお、この場合、表示部仕様として前記ディスプレイのサイズが記録されるようになっているが、ディスプレイのサイズを間接的に表す他の指標を表示部仕様として記録することもできる。また、前記ディスプレイのサイズによって表示部３５のサイズ、すなわち、表示サイズが表される。
【００７２】
次に、前記フォーマット作成処理手段のデータ作成処理手段は、データ作成処理を行い、前記画面データに基づいて、ナビゲーション装置１４用のフォーマット、すなわち、図７に示されるような画面フォーマットデータ、及び図８に示されるようなＴＴＳフォーマットデータを作成する。
【００７３】
この場合、前記データ作成処理手段は、ディスプレイのサイズに対応させて、前記情報表示画面に表示される画像のサイズを変更し、それに伴って、情報表示画面において表示される文字、アイコン等の位置を調整し、変更するが、文字、アイコン等の大きさは変更しない。なお、前記データ作成処理手段は、必要に応じて文字、アイコン等の大きさを変更することもできる。
【００７４】
そして、前記フォーマット作成処理手段の送信処理手段は、送信処理を行い、ナビゲーション装置１４にコンテンツ情報を画像データで送信するために、前記画面フォーマットデータ及びＴＴＳフォーマットデータをコンテンツプロバイダ６２に送信する。
【００７５】
次に、フローチャートについて説明する。
ステップＳ１１  コンテンツプロバイダ６２から画面データを取得する。
ステップＳ１２  ディスプレイ情報取得処理を行う。
ステップＳ１３  ナビゲーション装置１４用の画面フォーマットデータ及びＴＴＳフォーマットデータを作成する。
ステップＳ１４  画面フォーマットデータ及びＴＴＳフォーマットデータをコンテンツプロバイダ６２に送信し、処理を終了する。
【００７６】
次に、ステップＳ１２のディスプレイ情報取得処理のサブルーチンについて説明する。
【００７７】
まず、前記ディスプレイ情報取得処理手段は、ナビゲーション装置１４に対して認証要求を行い、ナビゲーション装置１４を認証するための認証データを受信するのを待機する。そして、認証データを受信すると、前記ディスプレイ情報取得処理手段は、ナビゲーション装置１４を特定するための特定情報としてＩＤを取得する。
【００７８】
続いて、前記ディスプレイ情報取得処理手段のナビゲーション装置判定処理手段は、ナビゲーション装置判定処理を行い、前記ＩＤに基づいて、ナビゲーション装置１４の型名を判別することによって、ナビゲーション装置１４を判定する。そして、前記ディスプレイ情報取得処理手段のディスプレイサイズ取得処理手段は、ディスプレイサイズ取得処理を行い、データベース５７を参照し、前記ナビゲーション装置１４の型名に対応するディスプレイのサイズを取得する。
【００７９】
そして、前記ディスプレイ情報取得処理手段は、取得したディスプレイのサイズをコンテンツプロバイダ６２に送信する。
【００８０】
次に、フローチャートについて説明する。
ステップＳ１２−１  ナビゲーション装置１４に対して認証要求を行う。
ステップＳ１２−２  認証データを受信するのを待機する。
ステップＳ１２−３  ナビゲーション装置１４のＩＤを取得する。
ステップＳ１２−４  ＩＤに基づいてナビゲーション装置１４の型名を判別する。
ステップＳ１２−５    ナビゲーション装置１４の型名に対応するディスプレイのサイズを取得する。
ステップＳ１２−６  ディスプレイのサイズをコンテンツプロバイダ６２に送信し、リターンする。
【００８１】
次に、受信した画面フォーマットデータ及びＴＴＳフォーマットデータをナビゲーション装置１４に送信する際のコンテンツプロバイダ６２の送信処理の動作について説明する。
【００８２】
図９は本発明の実施の形態におけるコンテンツプロバイダの送信処理の動作を説明するフローチャートである。
【００８３】
コンテンツプロバイダ６２において、ＣＰＵ７１の図示されない送信処理手段は、送信処理を行い、情報センタ５１に対してディスプレイのサイズの取得要求を行い、情報センタ５１からディスプレイのサイズが送信されると、該ディスプレイのサイズに応じた画面フォーマットデータを画像データとして、ＴＴＳフォーマットデータを音声出力データとして情報センタ５１を介してナビゲーション装置１４に送信する。
【００８４】
本実施の形態においては、ＣＰＵ７１の送信処理手段が画像データ及び音声出力データをナビゲーション装置１４に送信するようになっているが、情報センタ５１において、ＣＰＵ５４の図示されない送信処理手段によって画像データ及びＴＴＳフォーマットデータを直接ナビゲーション装置１４に送信することもできる。
【００８５】
したがって、ナビゲーション装置１４において、前述されたように、コンテンツプロバイダ６２から送信された画像データに従って、情報表示画面が形成され、該情報表示画面に図２に示されるようなコンテンツ情報の画像が表示される。
【００８６】
次に、図９のフローチャートについて説明する。
ステップＳ２１  ディスプレイのサイズを要求する。
ステップＳ２２  ディスプレイのサイズが送信されるのを待機する。
ステップＳ２３  ディスプレイのサイズに応じた画像データをナビゲーション装置１４に送信し、処理を終了する。
【００８７】
次に、図７の画面フォーマットデータについて説明する。
【００８８】
この場合、画面フォーマットデータはテキストデータに従って作成され、文字列「＜ｈｔｍｌ＞」によって、テキストデータをＨＴＭＬ形式にすることが指定される。また、文字列「＜ｈｅａｄ＞」、「＜ｔｉｔｌｅ＞  タイトル＜／ｔｉｔｌｅ＞」、「＜／ｈｅａｄ＞  」、「＜ｂｏｄｙ＞」及び「＜ｔａｂｌｅ  ｂｏｒｄｅｒ＝”０”  ｓｔｙｌｅ＝”ｆｏｎｔ−ｓｉｚｅ：  ２４ｐｔ”＞  」によって、コンテンツ情報のタイトルについて、枠（境界線）が形成されないこと、及び２４ポイントで文字が形成されることが指定される。
【００８９】
そして、文字列「＜ｔｄ  ｗｉｄｔｈ＝”１４８”  ｈｅｉｇｈｔ＝”７０”  ｖａｌｉｇｎ＝”ｍｉｄｄｌｅ”  ａｌｉｇｎ＝”ｃｅｎｔｅｒ”  ｈｅｉｇｈｔ＝”２５”＞  ＜／ｔｄ＞  」、＜ｔｄ  ｗｉｄｔｈ＝”３０２”  ｖａｌｉｇｎ＝”ｍｉｄｄｌｅ”  ａｌｉｇｎ＝”ｃｅｎｔｅｒ”  ｈｅｉｇｈｔ＝”２５”＞  天気予報＜／ｔｄ＞  」及び「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞＜／ｔｄ＞」によって、情報表示画面における上方に、コンテンツ情報のタイトルを表示するための領域ＡＲ１（図２）が設定され、該領域ＡＲ１の縦方向及び横方向の中央に「天気予報」の文字が、高さ２５〔ドット〕の範囲内で形成されることが指定される。なお、前記領域ＡＲ１のサイズは、横５９８（１４８＋３０２＋１４８）×縦７０〔ドット〕にされる。
【００９０】
また、文字列「＜／ｔａｂｌｅ＞」によって、前記領域ＡＲ１の下方に表が作成されることが指定される。そして、文字列「＜ｔａｂｌｅ  ｂｏｒｄｅｒ＝”１”  ｓｔｙｌｅ＝”ｆｏｎｔ−ｓｉｚｅ：  ２４ｐｔ”＞  」によって、表に枠が形成されること、及び前記枠内に２４ポイントで文字が形成されることが指定される。
【００９１】
そして、文字列「＜ｔｄ  ｗｉｄｔｈ＝”１４８”  ｈｅｉｇｈｔ＝”７０”  ｖａｌｉｇｎ＝”ｍｉｄｄｌｅ”  ａｌｉｇｎ＝”ｃｅｎｔｅｒ”  ｈｅｉｇｈｔ＝”２５”＞  札幌＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、及び「＜ｉｍｇ  ｓｒｃ＝”ｈａｒｅ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”晴”＞」によって、領域ＡＲ１１、ＡＲ２１が設定され、領域ＡＲ１１の縦方向及び横方向の中央に「札幌」の文字が高さ２５〔ドット〕の範囲内で、領域ＡＲ２１の縦方向及び横方向の中央に晴れを表すアイコンが高さ４５〔ドット〕の範囲内で表示されることが指定される。
【００９２】
同様に、文字列「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  仙台＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」及び「＜ｉｍｇ  ｓｒｃ＝”ｈａｒｅ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”晴”＞」によって、領域ＡＲ１２、ＡＲ２２が設定され、領域ＡＲ１２の縦方向及び横方向の中央に「仙台」の文字が高さ２５〔ドット〕の範囲内で、領域ＡＲ２２の縦方向及び横方向の中央に晴れを表すアイコンが高さ４５〔ドット〕の範囲内で表示されることが指定される。なお、前記領域ＡＲ１１、ＡＲ２１、ＡＲ１２及びＡＲ２２の全体のサイズは、横５９２（１４８＋１４８＋１４８＋１４８）×縦７０〔ドット〕にされる。
【００９３】
また、文字列「＜ｔｄ  ｗｉｄｔｈ＝”１４８”  ｈｅｉｇｈｔ＝”７０”  ｖａｌｉｇｎ＝”ｍｉｄｄｌｅ”  ａｌｉｇｎ＝”ｃｅｎｔｅｒ”  ｈｅｉｇｈｔ＝”２５”＞  新潟＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、及び「＜ｉｍｇ  ｓｒｃ＝”ａｍｅ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”  雨”＞」によって、領域ＡＲ１３、ＡＲ２３が設定され、領域ＡＲ１３の縦方向及び横方向の中央に「新潟」の文字が高さ２５〔ドット〕の範囲内で、領域ＡＲ２３の縦方向及び横方向の中央に雨を表すアイコンが高さ４５〔ドット〕の範囲内で表示されることが指定される。
【００９４】
同様に、文字列「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  東京＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、及び「＜ｉｍｇ  ｓｒｃ＝”ｋｕｍｏｒｉ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”曇”＞」によって、領域ＡＲ１４、ＡＲ２４が設定され、領域ＡＲ１４の縦方向及び横方向の中央に「東京」の文字が高さ２５〔ドット〕の範囲内で、領域ＡＲ２４の縦方向及び横方向の中央に曇りを表すアイコンが高さ４５〔ドット〕の範囲内で表示されることが指定される。なお、前記領域ＡＲ１３、ＡＲ２３、ＡＲ１４及びＡＲ２４の全体のサイズは、横５９２（１４８＋１４８＋１４８＋１４８）×縦７０〔ドット〕にされる。
【００９５】
また、文字列「＜ｔｄ  ｗｉｄｔｈ＝”１４８”  ｈｅｉｇｈｔ＝”７０”  ｖａｌｉｇｎ＝”ｍｉｄｄｌｅ”  ａｌｉｇｎ＝”ｃｅｎｔｅｒ”  ｈｅｉｇｈｔ＝”２５”＞  金沢＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、及び「＜ｉｍｇ  ｓｒｃ＝”ａｍｅ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”  雨”＞」によって、領域ＡＲ１５、ＡＲ２５が設定され、領域ＡＲ１５の縦方向及び横方向の中央に「金沢」の文字が高さ２５〔ドット〕の範囲内で、領域ＡＲ２５の縦方向及び横方向の中央に雨を表すアイコンが高さ４５〔ドット〕の範囲内で表示されることが指定される。
【００９６】
同様に、文字列「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  名古屋＜／ｔｄ＞  ＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、「＜ｉｍｇ  ｓｒｃ＝”ａｍｅ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”  雨”＞」、「＜ｉｍｇ  ｓｒｃ＝”ｎｏｃｈｉ．ｇｉｆ”  ａｌｉｇｎ＝”ｍｉｄｄｌｅ”  ｗｉｄｔｈ＝”１２”  ｈｅｉｇｈｔ＝”３０”  ｂｏｒｄｅｒ＝”０”  ａｌｔ＝”  のち”＞」及び「＜ｉｍｇ  ｓｒｃ＝”ｈａｒｅ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”晴”＞」によって、領域ＡＲ１６、ＡＲ２６が設定され、領域ＡＲ１６の縦方向及び横方向の中央に「名古屋」の文字が高さ２５〔ドット〕の範囲内で、領域ＡＲ２６の縦方向及び横方向の中央に雨のち晴れを表すアイコンが高さ４５〔ドット〕の範囲内で表示されることが指定される。なお、前記領域ＡＲ１５、ＡＲ２５、ＡＲ１６及びＡＲ２６の全体のサイズは、横５９２（１４８＋１４８＋１４８＋１４８）×縦７０〔ドット〕にされる。
【００９７】
また、文字列「＜ｔｄ  ｗｉｄｔｈ＝”１４８”  ｈｅｉｇｈｔ＝”７０”  ｖａｌｉｇｎ＝”ｍｉｄｄｌｅ”  ａｌｉｇｎ＝”ｃｅｎｔｅｒ”  ｈｅｉｇｈｔ＝”２５”＞  大阪＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、及び「＜ｉｍｇ  ｓｒｃ＝”ａｍｅ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”  雨”＞」によって、領域ＡＲ１７、ＡＲ２７が設定され、領域ＡＲ１７の縦方向及び横方向の中央に「大阪」の文字が高さ２５〔ドット〕の範囲内で、領域ＡＲ２７の縦方向及び横方向の中央に雨を表すアイコンが高さ４５〔ドット〕の範囲内で表示されることが指定される。
【００９８】
同様に、文字列「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  広島＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、及び「＜ｉｍｇ  ｓｒｃ＝”ｋｕｍｏｒｉ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”曇”＞」によって、領域ＡＲ１８、ＡＲ２８が設定され、領域ＡＲ１８の縦方向及び横方向の中央に「広島」の文字が高さ２５〔ドット〕の範囲内で、領域ＡＲ２８の縦方向及び横方向の中央に曇りを表すアイコンが高さ４５〔ドット〕の範囲内で表示されることが指定される。なお、前記領域ＡＲ１７、ＡＲ２７、ＡＲ１８及びＡＲ２８の全体のサイズは、横５９２（１４８＋１４８＋１４８＋１４８）〔ドット〕×縦７０〔ドット〕にされる。
【００９９】
また、文字列＜ｔｄ  ｗｉｄｔｈ＝”１４８”  ｈｅｉｇｈｔ＝”７０”  ｖａｌｉｇｎ＝”ｍｉｄｄｌｅ”  ａｌｉｇｎ＝”ｃｅｎｔｅｒ”  ｈｅｉｇｈｔ＝”２５”＞  福岡＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、及び「＜ｉｍｇ  ｓｒｃ＝”ａｍｅ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”  雨”＞」によって、領域ＡＲ１９、ＡＲ２９が設定され、領域ＡＲ１９の縦方向及び横方向の中央に「福岡」の文字が高さ２５〔ドット〕の範囲内で、領域ＡＲ２９の縦方向及び横方向の中央に雨を表すアイコンが４５〔ドット〕の範囲内で表示されることが指定される。
【０１００】
同様に、文字列「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  那覇＜／ｔｄ＞  」、「＜ｔｄ  ｗｉｄｔｈ＝”１４８”  ｖａｌｉｇｎ＝”ｍｉｄｄｌｅ”  ａｌｉｇｎ＝”ｃｅｎｔｅｒ”  ｈｅｉｇｈｔ＝”２５”＞  」、及び「＜ｉｍｇ  ｓｒｃ＝”ｋｕｍｏｒｉ．ｇｉｆ”  ａｌｉｇｎ＝”ｍｉｄｄｌｅ”  ｗｉｄｔｈ＝”４５”  ｈｅｉｇｈｔ＝”４５”  ｂｏｒｄｅｒ＝”０”  ａｌｔ＝”曇”＞」によって、領域ＡＲ２０、ＡＲ３０が設定され、領域ＡＲ２０の縦方向及び横方向の中央に「那覇」の文字が高さ２５〔ドット〕の範囲内で、領域ＡＲ３０の縦方向及び横方向の中央に曇りを表すアイコンが高さ４５〔ドット〕の範囲内で表示されることが指定される。なお、前記領域ＡＲ１９、ＡＲ２９、ＡＲ２０及びＡＲ３０の全体のサイズは、横５９２（１４８＋１４８＋１４８＋１４８）×縦７０〔ドット〕にされる。
【０１０１】
そして、文字列「＜／ｔａｂｌｅ＞」によって表が終了すること、文字列「＜／ｈｔｍｌ＞  」によってＨＴＭＬ形式のテキストデータが終了することが指定される。
【０１０２】
ところで、前記構成の画面フォーマットデータにおいては、前述されたように、領域ＡＲ１のサイズが横５９８×縦７０〔ドット〕にされ、表の部分における領域ＡＲ１１、ＡＲ２１、ＡＲ１２及びＡＲ２２、領域ＡＲ１３、ＡＲ２３、ＡＲ１４及びＡＲ２４、領域ＡＲ１５、ＡＲ２５、ＡＲ１６及びＡＲ２６、領域ＡＲ１７、ＡＲ２７、ＡＲ１８及びＡＲ２８、並びに領域ＡＲ１９、ＡＲ２９、ＡＲ２０及びＡＲ３０の各全体のサイズは、いずれも、横５９２×縦７０〔ドット〕にされるが、前記表の部分においては、枠を形成するために、横方向にほぼ６〔ドット〕の長さが必要になることから、実質的に横５９８×縦７０〔ドット〕になり、前記領域ＡＲ１のサイズと等しくなる。
【０１０３】
このように、領域ＡＲ１、ＡＲ１１〜ＡＲ３０から成るコンテンツ情報の画像の全体のサイズは、横５９８×縦４２０〔ドット〕になり、表示部３５として使用されるディスプレイのサイズに対応させて設定される。
【０１０４】
したがって、横６４０×縦４８０〔ドット〕のサイズのディスプレイを表示部３５として使用して情報表示画面を形成したとき、コンテンツ情報の画像のサイズをディスプレイのサイズより小さくすることができるので、情報表示画面の右端又は下端において画像が欠けることがなくなる。
【０１０５】
次に、横８００×縦６４０〔ドット〕のサイズのディスプレイを表示部３５として使用して情報表示画面を形成したときの、表示部３５に形成される情報表示画面、及び画面フォーマットデータについて説明する。
【０１０６】
図１０は本発明の実施の形態における表示部に形成される情報表示画面の第２の例を示す図、図１１は本発明の実施の形態における画面フォーマットデータの第２の例を示す図である。
【０１０７】
この場合、前記画面フォーマットデータにおいて、領域ＡＲ１のサイズが横７５８（１８８＋３８２＋１８８）×縦９０〔ドット〕にされ、表の部分における領域ＡＲ１１、ＡＲ２１、ＡＲ１２及びＡＲ２２、領域ＡＲ１３、ＡＲ２３、ＡＲ１４及びＡＲ２４、領域ＡＲ１５、ＡＲ２５、ＡＲ１６及びＡＲ２６、領域ＡＲ１７、ＡＲ２７、ＡＲ１８及びＡＲ２８、並びに領域ＡＲ１９、ＡＲ２９、ＡＲ２０及びＡＲ３０の各全体のサイズは、いずれも、横７５２（１８８＋１８８＋１８８＋１８８）×縦９０〔ドット〕にされるが、前記表の部分においては、枠を形成するために、横方向にほぼ６〔ドット〕の長さが必要になることから、実質的に横７５８×縦９０〔ドット〕になり、領域ＡＲ１のサイズと等しくなる。
【０１０８】
このように、領域ＡＲ１、ＡＲ１１〜ＡＲ３０から成る画像の全体のサイズは、横７５８×縦５４０〔ドット〕になり、表示部３５として使用されるディスプレイのサイズに対応させて設定される。
【０１０９】
したがって、横８００×縦６４０〔ドット〕のサイズのディスプレイを表示部３５として使用して情報表示画面を形成したとき、コンテンツ情報の画像のサイズをディスプレイのサイズより小さくすることができるので、情報表示画面の右端又は下端において画像が欠けることがなくなる。
【０１１０】
このように、任意のサイズのディスプレイを表示部３５として使用しても、ディスプレイのサイズに対応させて画面フォーマットデータが作成されるので、コンテンツ情報の画像のサイズを、ディスプレイのサイズより小さくすることができ、情報表示画面の右端又は下端において画像が欠けることがなくなる。
【０１１１】
その結果、前記情報表示画面をスクロールする必要がなくなるので、その分作業を簡素化することができ、ナビゲーション装置１４の操作性を向上させることができる。
【０１１２】
また、ディスプレイのサイズに対応させてナビゲーション装置１４において画像を縮小する必要がないので、情報表示画面の右端に大きな余白が形成されることがなく、画像を容易に見ることができる。
【０１１３】
さらに、情報表示画面にコンテンツ情報を適正なサイズの画像で表示することができる。
【０１１４】
また、図１１に示される画面フォーマットデータは、図７に示される画面フォーマットデータと同様に、各領域ＡＲ１、ＡＲ１１〜ＡＲ３０において、各文字は高さ２５〔ドット〕の範囲内で、各アイコンは高さ４５〔ドット〕の範囲内で表示される。すなわち、前述されたように、画像のサイズがディスプレイのサイズに対応させて変更されても、図２及び１０に示されるように、文字、アイコン等のサイズは変更されず、情報表示画面に表示される位置だけが変更される。
【０１１５】
したがって、フォーマット作成処理を簡素化することができ、ナビゲーションシステムのコストを低くすることができる。また、処理速度を高くすることができるので、情報表示画面にコンテンツ情報を表示するのに必要な時間を短くすることができる。
【０１１６】
なお、本発明は前記実施の形態に限定されるものではなく、本発明の趣旨に基づいて種々変形させることが可能であり、それらを本発明の範囲から排除するものではない。
【０１１７】
【発明の効果】
以上詳細に説明したように、本発明によれば、表示情報に基づいて表示部仕様に対応するフォーマットが作成され、該フォーマットに従って情報表示画面に表示情報が表示されるので、任意の表示部仕様の表示部を使用しても、情報表示画面に表示情報を適正なサイズの画像で表示することができる。
【図面の簡単な説明】
【図１】本発明の実施の形態におけるナビゲーションシステムを示す図である。
【図２】本発明の実施の形態における表示部に形成される情報表示画面の第１の例を示す図である。
【図３】本発明の実施の形態におけるコンテンツプロバイダの画面データ設定処理の動作を示すフローチャートである。
【図４】本発明の実施の形態におけるコンテンツプロバイダの入力項目設定画面を示す図である。
【図５】本発明の実施の形態における情報センタのフォーマットデータ作成処理の動作を示すフローチャートである。
【図６】本発明の実施の形態におけるディスプレイ情報取得処理のサブルーチンを示す図である。
【図７】本発明の実施の形態における画面フォーマットデータの第１の例を示す図である。
【図８】本発明の実施の形態におけるＴＳＳフォーマットデータの例を示す図である。
【図９】本発明の実施の形態におけるコンテンツプロバイダの送信処理の動作を説明するフローチャートである。
【図１０】本発明の実施の形態における表示部に形成される情報表示画面の第２の例を示す図である。
【図１１】本発明の実施の形態における画面フォーマットデータの第２の例を示す図である。
【符号の説明】
１４    ナビゲーション装置
３５    表示部
４３    ＬＡＮ
５１    情報センタ
５３、６５    サーバ
５７    データベース
６１    インターネット
６２、６３    コンテンツプロバイダ
【図１】
2004309183.tif 000003
【図２】
2004309183.tif 000004
【図３】
2004309183.tif 000005
【図４】
2004309183.tif 000006
【図５】
2004309183.tif 000007
【図６】
2004309183.tif 000008
【図７】
2004309183.tif 000009
【図８】
2004309183.tif 000010
【図９】
2004309183.tif 000011
【図１０】
2004309183.tif 000012
【図１１】
2004309183.tif 000013